(57)【要約】【課題】タッチパネルの汚れによる画面の視認性の低下やタッチパネル破損時の修理の手間を削減できる携帯端末装置及びタッチパネルを提供する。【解決手段】携帯端末装置１の本体部１ａにヒンジを介して取り付けた蓋部１ｂに画像を表示する表示部１７を備える。蓋部１ｂには、本体側コネクタ３１を備える。本体部１ａ及び蓋部１ｂと別体に形成されたタッチパネル５０には、本体側コネクタ３１に着脱可能にはめ込まれるタッチパネル側コネクタ５１を備える。本体側コネクタ３１にタッチパネル側コネクタ５１をはめ込むと、タッチパネル５０を表示部１７に重ねて装着でき、表示部１７の画面に沿ってタッチパネル５０からの入力操作が可能になる。タッチパネル側コネクタ５１を取り外すと、タッチパネル５０が取り外され、表示部１７の画面を鮮明に見ることができる。【選択図】  図１
2006221465.tif 000002
【特許請求の範囲】
【請求項１】
画像を表示する表示部を備えた本体部と、
前記本体部と別体に形成されるタッチパネルと、
前記本体部に一体に形成され、前記タッチパネルからの電気信号を入力するための本体側インターフェース部と、
前記タッチパネルに一体に形成され、前記本体側インターフェース部にはめ込み可能なタッチパネル側インターフェース部と、を備え、
前記本体側インターフェース部に前記タッチ側インターフェース部をはめ込むと、前記タッチパネルを前記表示部の表示面に重ねた状態で前記本体部に装着すると共に、前記本体側インターフェース部から前記タッチパネル側インターフェース部を外すと、前記タッチパネルを前記本体部から取り外すことができる、携帯端末装置。
【請求項２】
画像を表示する表示部を備えた本体部と、
前記表示部の表示面に重ねて着脱可能に装着されるタッチパネルからの電気信号を入力するための本体側インターフェース部と、
を備える携帯端末装置。
【請求項３】
携帯端末装置に着脱可能なタッチパネルであって、装着時に前記携帯端末装置に電気信号を出力するためのタッチパネル側インターフェース部を備えるタッチパネル。
【発明の詳細な説明】
【技術分野】
【０００１】
本発明は携帯端末装置及びタッチパネルに係り、特に携帯端末装置の視認性を高め、かつタッチパネルの破損に対する修理負担を軽減する携帯端末装置及びタッチパネルに関する。
【背景技術】
【０００２】
携帯端末装置の操作手段の一つにタッチパネルがある。このタッチパネルは、表示装置の画面にタッチパネルを積層して配置し、操作者がタッチパネルに触れた部位の座標情報をＣＰＵに出力する。タッチパネルの汚れや破損に対する対応策として、例えば特許文献１は、タッチパネルのパネル面上に位置して汚れの付着を防止する透明な保護シートと、その保護シートを巻き取りパネル面に新たな保護シート面を位置させる移動手段と、保護シートの表面を清掃する清掃手段と、を備えたタッチパネルの保護装置を開示している。この保護装置によれば、タッチパネルが汚れた場合には、汚れた保護シートが移動手段により巻き取られ、その巻き取られる過程で清掃手段により保護シートの汚れを落とすことができる。また、特許文献２には、ヒンジを中心に回動するタッチパネルを備えた表示装置が開示されている。この表示装置によれば、タッチパネルが汚れた場合にも、タッチパネルを回転させて表示装置を直接視認でき、タッチパネルの汚れに起因する視認性の低下を防ぐことができる。
【０００３】
また、特許文献３及び特許文献４には、表示装置の表示面上にタッチパネルを備え、表示装置の画面表示を変更してタッチパネルの操作キー位置を随時変更可能なタッチパネル付き表示装置が開示されている。この表示装置によれば、タッチパネルの操作キーが１箇所に片寄ることによる汚れや故障を防止できる。
【特許文献１】特開平１０−３１４３１号公報
【特許文献２】特開２００３−３３０６１６号公報
【特許文献３】特開２０００−１０７３４号公報
【特許文献４】特開平５―１２７８２４号公報
【発明の開示】
【発明が解決しようとする課題】
【０００４】
ところが、上述の特許文献１及び２では、タッチパネルの汚れに対しては対応できるが、破損、故障に対しては、保護シート装置やタッチパネルを全取替えしなければならず、手間がかかるという問題がある。また特許文献３及び４によれば、タッチパネルの所定箇所のみが汚れたり故障したりすることを防ぐが、タッチパネルの経年使用によりタッチパネル全体が汚れたり破損したりする場合には、表示装置の視認性が低下し、修理に手間がかかるという問題が生じる。
【０００５】
本発明はこのような問題点に鑑みてなされたもので、タッチパネルの汚れによる画面の視認性低下を防ぐとともに故障時の取替えを容易に行なえる携帯端末装置及びタッチパネルを提供することを目的とする。
【課題を解決するための手段】
【０００６】
上記課題を解決するため、本発明に係る携帯端末装置は、画像を表示する表示部を備えた本体部と、前記本体部と別体に形成されるタッチパネルと、前記本体部に一体に形成され、前記タッチパネルからの電気信号を入力するための本体側インターフェース部と、前記タッチパネルに一体に形成され、前記本体側インターフェース部にはめ込み可能なタッチパネル側インターフェース部と、を備え、前記本体側インターフェース部に前記タッチ側インターフェース部をはめ込むと、前記タッチパネルを前記表示部の表示面に重ねた状態で前記本体部に装着すると共に、前記本体側インターフェース部から前記タッチパネル側インターフェース部を外すと、前記タッチパネルを前記本体部から取り外すことができる。
【０００７】
この発明により、携帯端末装置に入力操作を行なうときにはタッチパネルを取り付け、携帯端末装置の画面をより鮮明に見たいときには、タッチパネルを取り外すことができる。また、タッチパネルが汚れたり故障したりした場合にも、タッチパネルの交換を容易に行なうことができる。
【０００８】
また、本発明に係る携帯端末装置は、画像を表示する表示部を備えた本体部と、前記表示部の表示面に重ねて着脱可能に装着されるタッチパネルからの電気信号を入力するための本体側インターフェース部と、を備える。
【０００９】
また、本発明に係るタッチパネルは、携帯端末装置に着脱可能なタッチパネルであって、装着時に前記携帯端末装置に電気信号を出力するためのタッチパネル側インターフェース部を備える。
【発明の効果】
【００１０】
この発明によると、タッチパネルが携帯端末装置に対して着脱自在に構成されるため、タッチパネルの汚れによる画面の視認性低下を防ぐとともに故障時の取替えを容易に行なえる携帯端末装置及びタッチパネルを提供することができる。
【発明を実施するための最良の形態】
【００１１】
以下、添付した図面を参照し本発明の好ましい実施の形態を説明する。
【００１２】
＜第１実施形態＞
［概略構成］
図１は、本発明の好ましい実施形態に係る携帯端末装置１の斜視図である。この図では携帯端末装置１の好ましい形態として携帯電話機１を示すが、通信機能の有無を問わず、タッチパネルを備えたものであれば何でもよく、ＰＤＡ、電子手帳などであってもよい。
【００１３】
図１（ａ）は携帯電話機１及びタッチパネル５０の正面方向からみた斜視図であり、図１（ｂ）は携帯電話機１及びタッチパネル５０の背面方向からみた斜視図である。図１の携帯電話機は、通話機能、電子メール送受信機能、デジタルカメラ機能を備える。携帯電話機１は、テンキー２ａ、電話番号登録、撮影モード選択、シャッターボタンなどの各種機能を行うためのファンクションボタン２ｂからなる操作部２が設けられた本体部１ａと、ＬＣＤなどで構成された表示部１７が備えられ、ヒンジを介して折り畳むことにより本体部１ａに重ねることができる蓋部１ｂとを備える。携帯電話機１の蓋部１ｂには、表示部１７の表示面に重ねてタッチパネル５０を脱着可能に固定し、タッチパネル５０からの入力信号を受付けるための本体側コネクタ３１と、伸縮可能なロッド型のアンテナ３とが設けられている。また、本体部１ａの背面には、撮像レンズ１１を備える。
【００１４】
タッチパネル５０の背面、すなわち、携帯電話機１に装着したときに表示部１７に対向する面には、本体側コネクタ３１にはめ込み可能なタッチパネル側コネクタ５１を備える。
【００１５】
図２は携帯電話機１の機能ブロック図である。携帯電話機１は、撮像レンズ１１、ＣＣＤなどの固体撮像素子１２、ドライバ１２２が固体撮像素子１２から読み取ったアナログ画像をデジタル信号に処理するためのアナログフロントエンド回路１３、アナログフロントエンド回路１３からのデジタル画像信号を処理するＤＳＰ（Digital Signal Processor）等の信号処理回路１４、中央演算処理装置（ＣＰＵ）１０、表示部１７の表示制御を行う表示コントローラ１６、タッチパネル５０からの入力を受付けるインターフェース（以下「本体側コネクタ」という。）３１などを備えている。携帯電話機１の各回路への電源供給は携帯電話機１の筐体内部に装着される電池からなる主要電源１６４から供給される。
【００１６】
また、携帯電話機１は、他の携帯端末装置などとアンテナ３を介して無線通信（音声による通話及び電子メールの送受信を含む）を行う通信部１５、メモリカード４からのデータ読み取りやメモリカード４へのデータ記録を行うカードコネクタ８０、記録内容の書き換えが可能なフラッシュメモリ１９、各種データやプログラムを記憶するＲＯＭ２０、ＣＰＵ１０の処理に必要な各種データを記憶するＲＡＭ２１を備えている。上記の各部はバス（ＢＵＳ）を介して接続されている。
【００１７】
撮像レンズ１１には、例えば光学２倍ズームレンズが用いられ、操作部２から入力される倍率変更操作に応じてモータドライバ１４０が撮像レンズ１１を望遠（テレ）側又は広角（ワイド）側に進退駆動することで光学ズーム倍率が変更される。撮像レンズ１１の倍率は上記に限定されない。撮像レンズ１１には絞り１１６が設けられており、モータドライバ１４０を介して絞り１１６を制御して適正な露光量を得る。
【００１８】
ファンクションボタン２ｂによって撮影モードが設定されると、ＣＰＵ１０は、動画（スルー画）を表示部１７に表示させ、撮影画角を確認可能にする。即ち、固体撮像素子１２は、撮像レンズ１１の受光面に結像された被写体光をその光量に応じた量の信号電荷に変換する。このようにして蓄積された各画素の信号電荷は、ＣＰＵ１０の指令に従いタイミングジェネレータ１２１から与えられる駆動パルスに基づき、信号電荷に応じた電圧信号（画像信号）としてドライバ１２２によって順次個別に読み出され、アナログフロントエンド回路１３でデジタル信号に変換されてそれぞれ信号処理回路１４に加えられる。
【００１９】
信号処理回路１４は、ゲイン調整回路及びＡ／Ｄ変換器を含み、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＣＰＵ１０からのコマンドに従って画像信号を処理する。
【００２０】
信号処理回路１４に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２１】
撮影画像を表示部１７にモニタ出力する場合、ＶＲＡＭ１３２からＹＣ信号が読み出され、表示コントローラ１６に送られる。表示コントローラ１６は、入力されたＹＣ信号を表示用の所定方式の信号（例えば、ＮＴＳＣ方式のカラー複合映像信号）に変換して表示部１７に出力する。
【００２２】
ＶＲＡＭ１３２の画像データは、必要に応じて信号処理回路１４から電子ズーム回路６２に加えられる。電子ズーム回路６２は、画像の拡大／縮小処理を行う。すなわち、画像データの一部を切り出し、その切り出し範囲を拡大／縮小することにより、画像の拡大／縮小処理を行なう。そして、その拡大／縮小後の画像データをＶＲＡＭ１３２に出力する。切り出し範囲はファンクションボタン２ｂなどの操作部２の操作で画像上の任意の位置に移動させることができ、これにより画像データの所望の範囲を拡大／縮小できる。
【００２３】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１７に供給されることにより、撮像中の映像がリアルタイムに表示部１７に表示される。ユーザは、表示部１７に表示される映像（スルー）によって撮影画角を確認できる。
【００２４】
ここで、ファンクションボタン２ｂが押下されると、記録用の撮影動作がスタートする。ファンクションボタン２ｂの押下に応動して取得された画像データは信号処理回路１４において輝度／色差信号（Ｙ／Ｃ信号）に変換され、ガンマ補正等の所定の処理が施された後、ＲＡＭ２１に格納される。
【００２５】
ＲＡＭ２１に格納されたＹ／Ｃ信号は、圧縮伸長処理回路１４４によって所定のフォーマットに従って圧縮された後、カードコネクタ８０を介してメモリカード４にJPEGファイルなどの所定フォーマットのファイルとして記録される。
【００２６】
ファンクションボタン２ｂによって動画撮影モードが設定されたときには、ファンクションボタン２ｂの押下操作に連動して動画記録動作がスタートし、もう一度ファンクションボタン２ｂを押下すると動画記録動作が停止する。ファンクションボタン２ｂを押下継続している期間、録画動作を行い、押下解除によって録画を停止するようにしてもよい。動画データは、例えばモーションＪＰＥＧ（ＭＰＥＧ）形式によってメモリカード４に記録される。
【００２７】
ファンクションボタン２ｂによって再生モードが設定されると、メモリカード４に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、表示コントローラ１６に加えられる。表示コントローラ１６は、入力するＹＣ信号からＮＴＳＣ方式のＲＧＢカラー複合映像信号を作成し、これを表示部１７に出力する。これにより、表示部１７にはメモリカード４に記録されている複数の画像がサムネイル表示される。
【００２８】
ＣＰＵ１０は、操作部２の各種のボタンやキーからの入力に基づいて携帯電話機１内の各回路を統括制御する。
【００２９】
携帯電話機１は撮像レンズ１１による光学ズームと電子ズーム回路６２による電子ズームの２つのズーム機能を備えており、ＣＰＵ１０は光学ズームを優先して倍率変更を行うように制御する。
【００３０】
なお、ＣＰＵ１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１７に供給される。これにより、スルー画像や再生画像に文字やアイコン等が合成された合成画像が表示される。
【００３１】
メモリカード４は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３２】
タッチパネル５０はそれぞれ縦横方向の各々に沿ってマトリクス状に所定の抵抗値を有しており、ユーザの指などの物体が接触すると上記の抵抗値が変化し、このときの電流値の変化を検出することで物体の接触位置を検出することができ、特に表示部１７に表示された画像の表示位置に物体を接触させることでその画像を選択することができる。タッチパネル５０は、上述の電流値に相当する電気信号を携帯電話機１に出力するためのインターフェース（以下「タッチパネル側コネクタ」という）５１を備える。
【００３３】
ＣＰＵ１０は、タッチパネル側コネクタ５１及び本体側コネクタ３１を介して上述の電気信号を取得し、その電気信号に基づいて検出した接触位置に応じた各種処理を開始させることができる。
【００３４】
[使用状態の説明]
図３は、タッチパネル５０を携帯電話機１に装着した状態を示す斜視図である。タッチパネル側コネクタ５１と本体側コネクタ３１とをはめ合わせると、タッチパネル５０は表示部１７の表示面上に装着される。そして、表示部１７の表示画面に沿ってタッチパネル５０の所定位置をユーザの指で押圧することにより、所望する操作を行なうことができる。例えば、表示部１７にメモリカード４に記録された複数の画像をサムネイル表示させ、そのうちの一画像を選択したい場合には、その画像に対応するタッチパネル５０の部位を押圧することにより画像選択が可能となる。さらに、表示部１７に各種画像処理機能、例えば、コピー機能、デリート機能を示すアイコンを表示させ、タッチパネル５０の操作面を押圧することによりそれらのアイコンを選択させてもよい。さらに、表示部１７に５０音のひらがなパネルを表示させ、タッチパネル５０を操作してひらがなや漢字変換アイコンを選択させることにより、タッチパネル５０を用いて携帯電話機１による電子メールの作成が可能になる。
【００３５】
図４は、タッチパネル５０を携帯電話機１からはずした状態を示す斜視図である。タッチパネル５０のタッチパネル側コネクタ５１を本体側コネクタ３１からはずすことにより、タッチパネル５０を携帯電話機１から取り外すことができる。これにより、タッチパネル５０を透過して表示部１７に表示された画面をみる場合に比べて、より鮮明に画面を見ることができる。さらに、タッチパネル５０が汚れたり破損したりした場合にも、タッチパネル５０の取り替えを容易に行なうことができる。
【図面の簡単な説明】
【００３６】
【図１】携帯端末装置及びタッチパネルの斜視図
【図２】携帯端末装置のブロック構成図
【図３】携帯端末装置にタッチパネルを装着した状態を示す斜視図
【図４】携帯端末装置からタッチパネルを外した状態を示す斜視図
【符号の説明】
【００３７】
１０：ＣＰＵ、１７：表示部、３１：本体側コネクタ、５０：タッチパネル、５１：タッチパネル側コネクタ
【図１】
2006221465.tif 000003
【図２】
2006221465.tif 000004
【図３】
2006221465.tif 000005
【図４】
2006221465.tif 000006